(57)【要約】【課題】冷蔵庫の効率に関し、埃によりコンデンサーを冷却する冷却風の減少がない冷蔵庫を提供することを目的とする。【解決手段】冷蔵庫本体下部に設けたボトムダクト１４と、機械室１２内に設けたアウターコンデンサー２と、冷却ファン１３とを備え、ボトムダクト１４のダクト吸込口１７は冷蔵庫本体の前縁下部に設けたので、長時間の運転でボトムダクト１４底部の吸込口が埃により閉塞しても、冷蔵庫前面の吸込口から外気を吸い込むことができ、アウターコンデンサー２を冷却する冷却風が減少することがなく、冷凍サイクルの効率低下を防ぐことができる【選択図】図１
2005201530.tif 000002
【特許請求の範囲】
【請求項１】
冷蔵庫本体と、前記冷蔵庫本体背面下部に設けた機械室と、前記冷蔵庫本体下部に設けた吸込ダクトと、前記機械室内に設けたコンデンサーと、前記機械室内に設け前記コンデンサーを冷却する冷却ファンとを備え、前記吸込ダクトの外気吸込口は前記冷蔵庫本体の前縁下部に設けることを特徴とした冷蔵庫。
【請求項２】
冷却ファンの吸い込み側にコンデンサーを設けた請求項１に記載の冷蔵庫。
【請求項３】
冷却ファンの吸い込み側を冷蔵庫背面に向けて斜めに設置したことを特徴とした請求項１または２に記載の冷蔵庫。
【請求項４】
機械室の冷蔵庫背面側でかつ前記機械室内の冷却風の流れに対してコンデンサーの位置または前記コンデンサーよりも上流側に吸込口を設けた請求項１から３のいずれか一項に記載の冷蔵庫。
【請求項５】
冷蔵庫本体の下部に吐出ダクトを設け、前記吐出ダクトの吐出口は前記冷蔵庫本体の前縁下部に設けた請求項１から４のいずれか一項に記載の冷蔵庫。
【請求項６】
断熱材と、外箱と、内箱とから冷蔵庫本体を構成し、前記断熱材と前記外箱の間の冷蔵庫前面、側面、背面及び上面のいずれか一面以上に凝縮パイプを設けた請求項５に記載の冷蔵庫。
【請求項７】
吸込ダクトの吸込口に吸込ルーバーを設け、吐出ダクトの吐出口に吐出ルーバーを設け、前記吸込ルーバーは外気を吐出口と逆方向から吸い込み、前記吐出ルーバーは冷却風を前記吸込口と逆方向に吐出するように構成したことを特徴とした請求項５または６に記載の冷蔵庫。
【請求項８】
冷蔵庫下部に設けた吸込ダクトと吐出ダクトを一体に成型し、吸込ダクトと吐出ダクトを分割する仕切りを設け、前記仕切りから冷蔵庫本体方向に突出したヒレを設け、前記仕切りとヒレは前記吸込ダクト及び吐出ダクトと一体成型し前記冷蔵庫本体と密着することを特徴とした請求項５から７のいずれか一項に記載の冷蔵庫。
【請求項９】
ヒレをダクトの吐出側に傾けることを特徴とした請求項８に記載の冷蔵庫。
【請求項１０】
吸込口に吸込ダクトと外気を連通する脱着可能なグリルを設け、前記グリルの吸い込み側開口部に埃を除去するフィルターを設けることを特徴とした請求項１から９のいずれか一項に記載の冷蔵庫。
【請求項１１】
グリルの吸い込み側開口部を床面から２０ｍｍ以上の高さに設けることを特徴とした請求項１０に記載の冷蔵庫。
【請求項１２】
グリルの吸い込み側開口部の下にダクトの吐出口と外気を連通する吐出側開口部を設けることを特徴とした請求項１０または１１に記載の冷蔵庫。
【発明の詳細な説明】
【技術分野】
【０００１】
本発明は、空気冷却式コンデンサーの放熱効率を高くした冷蔵庫に関するものである。
【背景技術】
【０００２】
近年、環境保護が叫ばれる中、冷蔵庫業界においては急速な省エネ化が進められている。
【０００３】
冷蔵庫の省エネ化技術としては、断熱箱体の断熱強化、インバーター圧縮機をはじめとした最適制御、冷凍サイクル各デバイスの高効率化があげられる。
【０００４】
中でも冷凍サイクルのデバイスの一つであるコンデンサーの高効率化の手法として、空気冷却式コンデンサーへの冷却風確保による高効率化技術が図られていた。（例えば、特許文献１参照）
以下、図面を参照しながら上記従来の冷蔵庫を説明する。
【０００５】
図８は、従来の冷蔵庫の機械室を示した斜視図である。図８に示すように、従来の冷蔵庫は、圧縮機１と、アウターコンデンサー２と、インナーコンデンサー（図示せず）と、減圧手段（図示せず）と、蒸発器（図示せず）とを環状に連結した冷凍サイクル３と、断熱箱体４と、圧縮機１とアウターコンデンサー２を冷却する冷却ファン５と、断熱箱体４の下部背面に形成され、圧縮機１とアウターコンデンサー２と冷却ファン５を収納し、背面に開口部を持つ機械室６と、開口部を塞ぐように配置される機械室カバー７とを備えている。
【０００６】
圧縮機１とアウターコンデンサー２は、機械室６内に冷却ファン５を挟んで配置されている。
【０００７】
アウターコンデンサー２は機械室６内ではなく断熱箱体４の下部にダクトを形成してその中に設置するものもあるが、その場合冷却風の流れ方向に長くなり、下流になるほど冷却風温度が上昇し、下流側での効率が悪くなるため、機械室４内にアウターコンデンサー２を設置する方が効率の高い冷蔵庫とすることができる。
【０００８】
断熱箱体４底部及び機械室カバー７の、冷却ファン５による冷却風の流れに対して上流側と下流側には、それぞれ冷却ファン５が外気を吸い込む底部吸込口８及び背面吸込口９と、底部吐出口１０及び背面吐出口１１とを備えている。
【０００９】
以上のように構成された冷蔵庫について、以下その動作を説明する。
【００１０】
圧縮機１で圧縮された高温、高圧のガス冷媒は、アウターコンデンサー２及びインナーコンデンサーで冷却、凝縮され、キャピラリーチューブなどの減圧手段で減圧され低温、低圧の気液二層冷媒となり、蒸発器へと流れる。
【００１１】
蒸発器へと流れ込んだ低圧の気液二層冷媒は、冷蔵庫内の空気との温度差により蒸発し、蒸発気化熱により周囲の空気を冷却する。
【００１２】
この時、アウターコンデンサー２及び圧縮機１を冷却する冷却風は、冷却ファン５により底部吸込口８及び背面吸込口９から吸い込まれ、アウターコンデンサー２及び圧縮機１を冷却した後、底部吐出口１０及び背面吐出口１１から吐出される。
【特許文献１】特開２００２−３３３２５８号公報
【発明の開示】
【発明が解決しようとする課題】
【００１３】
しかしながら上記従来の構成では、長期間の運転で底部吸込口８及び背面吸込口９が埃などにより閉塞してしまい、冷却ファン５による冷却風が減少し、消費電力量が増加したり、圧縮機１が冷却されないため高温になり、内部の部品が摩耗するなどの恐れがあった。
【００１４】
本発明は上記従来の課題を解決するもので、長期間運転しても冷却風を減少させないことにより、効率及び信頼性の高い冷蔵庫を提供することを目的とする。
【００１５】
また、上記従来の構成では、床にじゅうたんなど柔らかい素材のものが使用されている場合は、底部吸込口８及び底部吐出口１１が塞がれてしまい、冷却ファン５による冷却風が減少し、消費電力量が増加したり、圧縮機１が冷却されないため高温になり、内部の部品が摩耗するなどの恐れがあった。
【００１６】
本発明の他の目的は、床にじゅうたんなど柔らかい素材のものが使用されていても、冷却風を確保することにより、効率及び信頼性の高い冷蔵庫を提供することである。
【００１７】
また、上記従来の構成では、冷蔵庫前縁下部が冷蔵庫内からの熱伝達により冷却され、湿度の高い時には表面に水分が凝縮し、水滴が床に落ち、床が汚れるため、一般的には断熱箱体下部に凝縮パイプやヒーターが埋め込まれるため、凝縮パイプやヒーターからの熱伝導により冷蔵庫内が逆に暖められ、消費電力量が増加する恐れがあった。
【００１８】
本発明の他の目的は、冷蔵庫下部に凝縮パイプやヒーターを設けることなく冷蔵庫前縁下部への水分の凝縮を防ぐことにより、効率の高い冷蔵庫とすることである。
【課題を解決するための手段】
【００１９】
上記従来の課題を解決するために、本発明の冷蔵庫は、冷蔵庫本体と、冷蔵庫本体背面下部に設けた機械室と、冷蔵庫本体下部に設けた吸込ダクトと、機械室内に設けたコンデンサーと、機械室内に設けコンデンサーを冷却する冷却ファンとを備え、吸込ダクトの外気吸込口は冷蔵庫本体の前縁下部に設けることを特徴としたものである。
【００２０】
これによって、長時間の運転で吸込ダクト底部の吸込口が埃により閉塞したり、じゅうたんの上に冷蔵庫が置かれ吸込ダクト底部の吸込口が塞がれた時にも冷蔵庫前面の吸込口から外気を吸い込むことができ、アウターコンデンサーを冷却する冷却風が減少することがなく、冷凍サイクルの効率低下を防ぐことができる。
【００２１】
また本発明の冷蔵庫は、冷却ファンの吸い込み側にアウターコンデンサーを設けた構成としたものである。
【００２２】
これによって、風の流れが均一な冷却ファンの吸込側にアウターコンデンサーを置くことにより、効率よくアウターコンデンサーを冷却することができ、効率の高い冷凍サイクルとすることができる。
【００２３】
また本発明の冷蔵庫は、冷却ファンの吸い込み側を冷蔵庫背面に向けて斜めに設置したものである。
【００２４】
これによって、冷却ファンの吸込空気がアウターコンデンサー全体を流れ、効率よくアウターコンデンサーを冷却することができ、効率の高い冷凍サイクルとすることができる。
【００２５】
また本発明の冷蔵庫は、機械室の冷蔵庫背面側でかつ機械室内の冷却風の流れに対してコンデンサーの位置またはコンデンサーよりも上流側に吸込口を設けた構成としたものである。
【００２６】
これによって、冷却ファンの吸込空気がアウターコンデンサー全体を流れ、効率よくアウターコンデンサーを冷却することができ、効率の高い冷凍サイクルとすることができる。
【００２７】
また本発明の冷蔵庫は、冷蔵庫本体の下部に吐出ダクトを設け、吐出ダクトの吐出口は冷蔵庫本体の前縁下部に設けた構成としたものである。
【００２８】
これによって、冷蔵庫背面が壁に押し当てられ、じゅうたんの上に冷蔵庫が置かれ吐出ダクト底部の吐出口が塞がれた時にも冷蔵庫前面の吐出口から風を吐出することができ、アウターコンデンサーを冷却する冷却風が減少することがなく、冷凍サイクルの効率低下を防ぐことができる。
【００２９】
また本発明の冷蔵庫は、断熱材と、外箱と、内箱とから冷蔵庫本体を構成し、断熱材と外箱の間の冷蔵庫前面、側面、背面及び上面のいずれか一面以上に凝縮パイプを設けた構成としたものである。
【００３０】
これによって、断熱箱体底部に凝縮パイプまたはヒーターを設けることなく前面底部への水分の凝縮を防止できる。
【００３１】
また本発明の冷蔵庫は、吸込ダクトの吸込口に吸込ルーバーを設け、吐出ダクトの吐出口に吐出ルーバーを設け、吸込ルーバーは外気を吐出口と逆方向から吸い込み、吐出ルーバーは冷却風を吸込口と逆方向に吐出するように構成したことを特徴としたものである。
【００３２】
これによって、吐出ダクトから吐出された温風を吸込ダクトから吸い込むことがなく、効率よくアウターコンデンサーを冷却することができ、効率の高い冷凍サイクルとすることができる。
【００３３】
また本発明の冷蔵庫は、冷蔵庫下部に設けた吸込ダクトと吐出ダクトを一体に成型し、吸込ダクトと吐出ダクトを分割する仕切りを設け、仕切りから冷蔵庫本体方向に突出したヒレを設け、仕切りとヒレは吸込ダクト及び吐出ダクトと一体成型し冷蔵庫本体と密着することを特徴としたものである。
【００３４】
これによって、吸込ダクト、吐出ダクト及び仕切りと冷蔵庫のシール部材を一部品で構成でき、ダクトの吸い込み側と吐出側のシールをより完全にできるとともに、ダクトを安価に構成することができる。
【００３５】
また本発明の冷蔵庫は、ヒレをダクトの吐出側に傾けることを特徴としたものである。
【００３６】
これによって、吐出ダクト内空気と吸込ダクト内空気の圧力差によりヒレが倒され吐出ダクトから吸込ダクトへと空気が漏れ、吐出ダクト内を流れる温風を吸込ダクトから吸い込むことがなく、効率よくアウターコンデンサーを冷却することができ、効率の高い冷凍サイクルとすることができる。
【００３７】
また本発明の冷蔵庫は、吸込口に吸込ダクトと外気を連通する脱着可能なグリルを設け、グリルの吸い込み側開口部に埃を除去するフィルターを設けることを特徴としたものである。
【００３８】
これによって、空気中の埃を直接ダクト内に吸い込むことがなく、フィルターに付着した埃を掃除することにより冷却ファンの風量が減少することがないため、アウターコンデンサーを冷却する冷却風が減少することがなく、冷凍サイクルの効率低下を防ぐことができる。
【００３９】
また本発明の冷蔵庫は、グリルの吸い込み側開口部を床面から２０ｍｍ以上の高さに設けることを特徴としたものである。
【００４０】
これによって、床の上に堆積した埃をフィルターから吸い込むことがなく、フィルターの掃除サイクルを長くすることができるとともに、フィルターへ埃が付着しにくいため、アウターコンデンサーを冷却する冷却風が減少することがなく、冷凍サイクルの効率低下を防ぐことができる。
【００４１】
また本発明の冷蔵庫は、グリルの吸い込み側開口部の下にダクトの吐出口と外気を連通する吐出側開口部を設けることを特徴としたものである。
【００４２】
これによって、床に堆積した埃を吐出口からの風で吹き飛ばし、吸込口から床に堆積した埃を吸い込むことがなく、フィルターの掃除サイクルを長くすることができるとともに、フィルターへ埃が付着しにくいため、アウターコンデンサーを冷却する冷却風が減少することがなく、冷凍サイクルの効率低下を防ぐことができる。
【発明の効果】
【００４３】
本発明の冷蔵庫は、長期間運転しても埃付着などで冷却風を減少させないことにより、効率及び信頼性の高い冷蔵庫とすることができる。
【００４４】
また、本発明の冷蔵庫は、床にじゅうたんなど柔らかい素材のものが使用されていても、冷却風を確保することにより、効率及び信頼性の高い冷蔵庫とすることができる。
【００４５】
また、本発明の冷蔵庫は、冷蔵庫下部に凝縮パイプやヒーターを設けることなく冷蔵庫前縁下部への水分の凝縮を防ぐことにより、効率の高い冷蔵庫とすることができる。
【発明を実施するための最良の形態】
【００４６】
請求項１に記載の発明は、冷蔵庫本体と、冷蔵庫本体背面下部に設けた機械室と、冷蔵庫本体下部に設けた吸込ダクトと、機械室内に設けたコンデンサーと、機械室内に設けコンデンサーを冷却する冷却ファンとを備え、吸込ダクトの外気吸込口は冷蔵庫本体の前縁下部に設けることにより、長時間の運転で吸込ダクト底部の吸込口が埃により閉塞したり、じゅうたんの上に冷蔵庫が置かれ吸込ダクト底部の吸込口が塞がれた時にも冷蔵庫前面の吸込口から外気を吸い込むことができ、アウターコンデンサーを冷却する冷却風が減少することがなく、冷凍サイクルの効率低下を防ぐことができる。
【００４７】
請求項２に記載の発明は、冷却ファンの吸い込み側にアウターコンデンサーを設けることにより、風の流れが均一な冷却ファンの吸込側冷却風でアウターコンデンサーを冷却することができ、効率よくアウターコンデンサーを冷却することができ、効率の高い冷凍サイクルとすることができる。
【００４８】
請求項３に記載の発明は、冷却ファンの吸い込み側を冷蔵庫背面に向けて斜めに設置したことにより、冷却ファンの吸込空気がアウターコンデンサー全体を流れ、効率よくアウターコンデンサーを冷却することができ、効率の高い冷凍サイクルとすることができる。
【００４９】
請求項４に記載の発明は、機械室の冷蔵庫背面側でかつ機械室内の冷却風の流れに対してコンデンサーの位置またはコンデンサーよりも上流側に吸込口を設けたことにより、冷却ファンの吸込空気がアウターコンデンサー全体を流れ、効率よくアウターコンデンサーを冷却することができ、効率の高い冷凍サイクルとすることができる。
【００５０】
請求項５に記載の発明は、冷蔵庫本体の下部に吐出ダクトを設け、吐出ダクトの吐出口は冷蔵庫本体の前縁下部に設けることにより、冷蔵庫背面が壁に押し当てられ、じゅうたんの上に冷蔵庫が置かれ吐出ダクト底部の吐出口が塞がれた時にも冷蔵庫前面の吐出口から風を吐出することができ、アウターコンデンサーを冷却する冷却風が減少することがなく、冷凍サイクルの効率低下を防ぐことができる。
【００５１】
請求項６に記載の発明は、断熱材と、外箱と、内箱とから冷蔵庫本体を構成し、断熱材と外箱の間の冷蔵庫前面、側面、背面及び上面のいずれか一面以上に凝縮パイプを設けた構成とすることにより、断熱箱体底部に凝縮パイプまたはヒーターを設けることなく前面底部への水分の凝縮を防止できる。
【００５２】
請求項７に記載の発明は、吸込ダクトの吸込口に吸込ルーバーを設け、吐出ダクトの吐出口に吐出ルーバーを設け、前記吸込ルーバーは外気を吐出口と逆方向から吸い込み、吐出ルーバーは冷却風を前記吸込口と逆方向に吐出するように構成したにより、吐出ダクトから吐出された温風を吸込ダクトから吸い込むことがなく、効率よくアウターコンデンサーを冷却することができ、効率の高い冷凍サイクルとすることができる。
【００５３】
請求項８に記載の発明は、冷蔵庫下部に設けた吸込ダクトと吐出ダクトを一体に成型し、吸込ダクトと吐出ダクトを分割する仕切りを設け、仕切りから冷蔵庫本体方向に突出したヒレを設け、仕切りとヒレは吸込ダクト及び吐出ダクトと一体成型し冷蔵庫本体と密着することを特徴としたことにより、吸込ダクト、吐出ダクト及び仕切りと冷蔵庫のシール部材を一部品で構成でき、ダクトの吸い込み側と吐出側のシールをより完全にできるとともに、ダクトを安価に構成することができる。
【００５４】
請求項９に記載の発明は、ヒレをダクトの吐出側に傾けることにより、吐出ダクト内空気と吸込ダクト内空気の圧力差によりヒレが倒され吐出ダクトから吸込ダクトへと空気が漏れ、吐出ダクト内を流れる温風を吸込ダクトから吸い込むことがなく、効率よくアウターコンデンサーを冷却することができ、効率の高い冷凍サイクルとすることができる。
【００５５】
請求項１０に記載の発明は、吸込口に吸込ダクトと外気を連通する脱着可能なグリルを設け、前記グリルの吸い込み側開口部に埃を除去するフィルターを設けることにより、空気中の埃を直接ダクト内に吸い込むことがなく、フィルターに付着した埃を掃除することにより冷却ファンの風量が減少することがないため、アウターコンデンサーを冷却する冷却風が減少することがなく、冷凍サイクルの効率低下を防ぐことができる。
【００５６】
請求項１１に記載の発明は、グリルの吸い込み側開口部を床面から２０ｍｍ以上の高さに設けることにより、床の上に堆積した埃をフィルターから吸い込むことがなく、フィルターの掃除サイクルを長くすることができるとともに、フィルターへ埃が付着しにくいため、アウターコンデンサーを冷却する冷却風が減少することがなく、冷凍サイクルの効率低下を防ぐことができる。
【００５７】
請求項１２に記載の発明は、グリルの吸い込み側開口部の下にダクトの吐出口と外気を連通する吐出側開口部を設けることにより、床に堆積した埃を吐出口からの風で吹き飛ばし、吸込口から床に堆積した埃を吸い込むことがなく、フィルターの掃除サイクルを長くすることができるとともに、フィルターへ埃が付着しにくいため、アウターコンデンサーを冷却する冷却風が減少することがなく、冷凍サイクルの効率低下を防ぐことができる。
【００５８】
以下、本発明の実施の形態について、図面を参照しながら説明する。なお、この実施の形態によってこの発明が限定されるものではない。
【００５９】
（実施の形態１）
図１は本発明の実施の形態１による冷蔵庫の斜視図である。図２は同実施の形態の冷蔵庫の機械室の横断面図である。図３は同実施の形態の冷蔵庫の機械室の背面図である。図４は同実施の形態の冷蔵庫のボトムダクトの正面図である。図５は同実施の形態の冷蔵庫のボトムダクトの斜視図である。図６は図１のＡ−Ａ断面の断面図である。図７は図１のＢ−Ｂ断面の断面図である。
【００６０】
図１から図７において、１２は機械室であり、圧縮機１、アウターコンデンサー２、冷却ファン１３を収納する。また、冷却ファン１３は、冷蔵庫背面側に傾いている。
【００６１】
１４はボトムダクトであり、冷却ファン１３により外気を冷蔵庫前縁より吸い込み、アウターコンデンサー２及び圧縮機１を冷却した後冷蔵庫前縁より吐出される。ボトムダクト１４は吸込側と吐出側を区切る仕切り１５を設けているとともに仕切り１５にはヒレ１６が一体構成されており、断熱箱体４底部と密着し、吐出側から吸込側への空気の漏れをシールしている。
【００６２】
ボトムダクト１４は底部及び断熱箱体４前縁部に外気を吸い込むダクト吸込口１７及び吐出するダクト吐出口１８を備えており、断熱箱体４前縁部のダクト吸込口１７にはダクト吐出口１８と逆側に傾いた吸込ルーバー１９を、断熱箱体４前縁部のダクト吐出口１８にはダクト吸込口１７と逆側に傾いた吐出ルーバー２０を備えている。
【００６３】
ボトムダクト１４の前縁部にはグリル２１を備えている。グリル２１は前縁上部の床から２０ｍｍ以上の位置にダクト吸込口１７と連通するグリル吸込口２２を備え、グリル吸込口２２の下にダクト吐出口１８と連通するグリル吐出口２３を備えている。グリル吸込口２２には埃を除去するフィルター２４を備えており、空気中の埃を除去する。
【００６４】
機械室１２の背面側には機械室カバー２５を備えており、機械室１２背面の開口部を閉鎖している。機械室カバー１２は外気を吸い込むカバー吸込口２６及び吐出するカバー吐出口２７を備えており、冷却ファン１３により外気を吸い込み、アウターコンデンサー２及び圧縮機１を冷却した空気を吐出する。
【００６５】
以上のように構成された冷蔵庫について、以下その動作、作用を説明する。
【００６６】
冷蔵庫運転中、圧縮機１で圧縮された高温、高圧のガス冷媒は、アウターコンデンサー２へ流れ込み、冷却ファン１３の冷却風により液化、冷却される。
【００６７】
冷却ファン１３による冷却風は、グリル吸込口２２からダクト吸込口１７及びカバー吸込口２６より吸い込まれ、アウターコンデンサー２及び圧縮機１を冷却し、カバー吐出口２７及びダクト吐出口１８からグリル吐出口２３へと吐出される。
【００６８】
ここで、ダクト吸込口１７は断熱箱体４前縁部に設けられているため、吸い込み冷却風によりダクト吸込口１７に埃が付着しても簡単に掃除ができ、さらに、床にじゅうたんなどが敷かれていても前縁部のダクト吸込口１７が閉塞することはなく、常に冷却風量を確保することができる。
【００６９】
また、本実施の形態では、冷却風の風路がカギ型となっており、その角部にアウターコンデンサー２をもうけているため、冷却風が風路の内側を通りやすくなり、アウターコンデンサー２の風路の角の部分で冷却風のよどみが生じる可能性がある。これに対して冷却ファン１３は、例えばボックスファンなどが使用されるが、一般的にファンの吸い込み側は冷却風が均一に流れており、本実施の形態のような直角に曲がった風路で使用する際には、冷却ファン１３の吸い込み側に被冷却物を置くことによりまんべんなく冷却することができる。
【００７０】
また、冷却ファン１３は、向きを断熱箱体４の背面側に傾けたので、本実施の形態のようにカギ型の風路の角にアウターコンデンサー２がある場合にもアウターコンデンサー２を流れる冷却風は、断熱箱体４の前方向から吸い込まれ、背面側を流れた後冷却ファン１２に吸い込まれるため、風路の角の部分で冷却風のよどみが生じず、アウターコンデンサー２全体を冷却することができる。
【００７１】
また、冷却風の流れに対してアウターコンデンサー２の上流側で且つ断熱箱体４背面側にカバー吸込口２６を設けたので、冷却風の流れに対して左右両方から冷却風が吸い込まれるため、アウターコンデンサー２全体を冷却風が流れ、アウターコンデンサー２全体を冷却することができる。
【００７２】
また、ダクト吐出口１８が断熱箱体４前縁部に設けられているため、冷蔵庫背面が壁に押し当てられ、じゅうたんの上に冷蔵庫が置かれ底部のダクト吐出口１８が塞がれた時にも冷蔵庫前面のダクト吐出口１８は開講しているため、風を吐出することができ、アウターコンデンサー２を冷却する冷却風が減少することがない。
【００７３】
また、冷却風を冷蔵庫前面から吸い込み、前面から吐出する構成とし、インナーコンデンサー２を冷蔵庫前面、側面、背面及び上面のいずれか一面以上に設けたので、冷蔵庫前縁下部近傍に風が流れることにより冷蔵庫前縁下部に水分が凝縮せず、露付き防止用の凝縮パイプやヒーターなどを設ける必要がない。
【００７４】
また、吸込ルーバー１９と吐出ルーバー２０が逆方向を向いているので、ダクト吐出口１８から吐出された温風はダクト吸込口１７と逆方向に吐出され、ダクト吸込口１７から温風を吸い込むことはない。
【００７５】
また、ボトムダクト１４と一体成型したヒレ１６によりボトムダクト１４の吸い込み側と吐出側をシールしているので、シールするための部材を取り付けるよりも確実にシールを行うことができ、ボトムダクト１４の吐出側を流れる温風が吸い込み側に流れないとともに、部品点数が減ることによりボトムダクト１４を安価に作成することができる。
【００７６】
また、ヒレ１６をボトムダクト１４の吐出側に傾けているので、吐出側と吸い込み側の圧力差によりヒレ１６が倒され、ヒレ１６と断熱箱体４の底部との間にすき間ができ、ボトムダクト１４の吐出側を流れる温風が吸い込み側に流れることはない。
【００７７】
また、ダクト吸込口１７にはグリル２１が備えられており、グリル吸込口２２にはフィルター２４を備えているため、埃はフィルター２４に付着し、ダクト吸込口１７などに付着し、冷却風量を減少させることがなく、さらにグリル２１は脱着可能に取り付けられているため掃除が簡単にできるため、アウターコンデンサー２を冷却する冷却風が減少することはない。
【００７８】
また、グリル吸込口２２をグリル２１の上部に備えたため、床の上に堆積した埃をグリル吸込口２２から吸い込むことがなく、フィルター２４の掃除サイクルを長くすることができるとともに、フィルター２４へ埃が付着しにくいため、アウターコンデンサー２を冷却する冷却風が減少することはない。
【００７９】
また、グリル吐出口２３をグリル吸込口２２よりも下に備えたため、床に堆積した埃をグリル吐出口２３から吐出する風で吹き飛ばすことができ、グリル吸込口２２から床に堆積した埃を吸い込むことがなく、フィルター２４の掃除サイクルを長くすることができるとともに、フィルター２４へ埃が付着しにくいため、アウターコンデンサー２を冷却する冷却風が減少することはない。
【００８０】
従って、吸込口が埃で閉塞し、アウターコンデンサー２を冷却する冷却風が減少することがなく、アウターコンデンサー２を効率よく冷却できることから、効率の高い冷蔵庫とすることができる。
【００８１】
また、アウターコンデンサー２及び圧縮機１を冷却した温風を再び吸い込むことがなく、温度の低い冷却風でアウターコンデンサー２を冷却することができるので、アウターコンデンサー２を効率よく冷却できることから、効率の高い冷蔵庫とすることができる。
【００８２】
また、アウターコンデンサー２全体に冷却風を流すことができ、アウターコンデンサー２を効率よく冷却できることから、効率の高い冷蔵庫とすることができる。
【００８３】
また、凝縮パイプやヒーターからの熱伝導により冷蔵庫内が暖められることがないので効率の高い冷蔵庫とすることができる。
【００８４】
なお、本実施の形態においてはアウターコンデンサー２の形式を限定しなかったが、フラットフィンチューブ、スパイラルフィンチューブ、ワイヤーコンデンサーなどどのような形式においても同様の効果が得られる。
【００８５】
また、本実施の形態においてはアウターコンデンサー２の次にインナーコンデンサーへ冷媒が流れるとして説明したが、アウターコンデンサー２とインナーコンデンサーの冷媒の流れる順番が逆でも同様の効果が得られる。
【００８６】
また、本実施の形態においては、冷蔵庫を冷却する手段として冷凍サイクル３を用いたが、電子冷却式やスターリング方式など、放熱を必要とする手段ならいかなる手段を用いても同様の効果が得られる。
【００８７】
また、本実施の形態においては、フィルター２４をグリル吸込口２２に備えた構成としたが、フィルター２４をダクト吸込口１７に直接取り付けてもフィルター２４の効果は得られる。但し、グリル２１の一部として構成することにより吸込、吐出風路を自由に構成できるため、グリル吸込口２２及びグリル吐出口２３の位置を自由に決められ、請求項１１及び１２の効果が得られる。
【００８８】
また、本実施の形態においては、カバー吸込口２６及びカバー吸込口２７を機械室カバー２５に設けたが、冷蔵庫背面であれば機械室カバー２５以外に吸込、吐出口を設けても同様の効果が得られる。
【産業上の利用可能性】
【００８９】
以上のように、本発明にかかる冷蔵庫は、吸込口と吐出口を冷蔵庫の前面に設け、吸込口を上に、吐出口を下に設けることにより、埃による風路の閉塞や風量低下を防ぐことができるので、空気強制循環風路を持つあらゆる機器にも適用できる。
【図面の簡単な説明】
【００９０】
【図１】本発明による冷蔵庫の実施の形態１の斜視図
【図２】同実施の形態の冷蔵庫の機械室の横断面図
【図３】同実施の形態の冷蔵庫の機械室の背面図
【図４】同実施の形態の冷蔵庫のボトムダクトの平面図
【図５】同実施の形態の冷蔵庫のボトムダクトの斜視図
【図６】図１のＡ−Ａ断面の断面図
【図７】図１のＢ−Ｂ断面の断面図
【図８】従来の冷蔵庫の機械室の背面斜視図
【符号の説明】
【００９１】
２    アウターコンデンサー
４    断熱箱体
１２    機械室
１３    冷却ファン
１４    ボトムダクト
１５    仕切り
１６    ヒレ
１７    ダクト吸込口
１８    ダクト吐出口
１９    吸込ルーバー
２０    吐出ルーバー
２１    グリル
２２    グリル吸込口
２３    グリル吐出口
２４    フィルター
２６    カバー吸込口
２７    カバー吐出口
【図１】
2005201530.tif 000003
【図２】
2005201530.tif 000004
【図３】
2005201530.tif 000005
【図４】
2005201530.tif 000006
【図５】
2005201530.tif 000007
【図６】
2005201530.tif 000008
【図７】
2005201530.tif 000009
【図８】
2005201530.tif 000010